(57)【要約】【課題】  噴射方向の俯き角度が調整可能であり、しかも調節範囲を大きく確保できるシャワーヘッドを提供する。【解決手段】グリップ部１にアーム部５を設け、このアーム部に支持軸６を架設し、この支持軸に対し、散水板１１を備えたヘッド部１０を上記支持軸を中心として回動可能に取り付け、このヘッド部は散水板より放出されるシャワー水の噴射方向の俯き角が所定の角度α範囲で調節可能になっている。【選択図】図１
2007130615.tif 000002
【特許請求の範囲】
【請求項１】
グリップ部にアーム部を設け、このアーム部に支持軸を架設し、この支持軸に対し、一面に散水板を備えたヘッド部を該支持軸を中心として回動可能に取り付け、このヘッド部は散水板より放出されるシャワー水の噴射方向の俯き角が所定の角度範囲で調節可能になっていることを特徴とするシャワーヘッド。
【請求項２】
散水板が上記調節角度範囲を超えた位置まで回動された場合は、シャワー水の放出が停止されるようにしたことを特徴とする請求項１に記載のシャワーヘッド。
【請求項３】
グリップ部から散水板に至る温水の供給経路は支持軸内を通るようにしたことを特徴とする請求項１又は請求項２に記載のシャワーヘッド。
【発明の詳細な説明】
【技術分野】
【０００１】  本発明は、噴射方向の俯き角を調節可能にしたシャワーヘッドに関する。
【背景技術】
【０００２】  通常、風呂場用シャワーヘッドは、浴場の壁面に取付けたフックに脱着可能に係止された状態で使用される。ヘッド部の散水板を前方に向けると、この散水板より噴射される温水シャワーは前方に散水される。
噴射（散水）方向を変えたい場合は、一旦シャワーヘッドをフックから外して水平方向の向きを調整し、再びフックに差し込めば、噴射方向を左右に変えることができる。
しかしこの場合、散水板の向きを左右方向に変化させることができるとしても俯き方向に変化させることはできない。このため、使用者は、体格やシャワーを浴びる位置により、自身が移動してシャワー水を浴びる位置に移動する必要がある。
このようなことから、従来、噴射方向を変更可能としたシャワーヘッドが、例えば実開平０３−１２８４４１号公報などで提案されている。
しかしながら、上記公報に記載のシャワーヘッドは、構造が複雑で、俯き角度の調節範囲が小さく、使い勝手が良くないといった不具合がある。
【実用新案文献】
実開平０３−１２８４４１号公報
【発明の開示】
【発明が解決しようとする課題】
【０００３】  この発明の目的は、噴射方向の俯き角度が調整可能であり、しかも調節範囲を大きく確保できるシャワーヘッドを提供する。
【課題を解決するための手段】
【０００４】  本発明では、グリップ部にアーム部を設け、このアーム部に支持軸を架設し、この支持軸に対し、一面に散水板を備えたヘッド部を該支持軸を中心として回動可能に取り付け、このヘッド部は散水板より放出されるシャワー水の噴射方向の俯き角が所定の角度範囲で調節可能になっていることである。
本発明の好ましい態様は、散水板が上記調節角度範囲を超えて前方に向かっていない位置まで回動された場合は、散水板から水が流出しないようにしたことである。
本発明の他の好ましい態様は、グリップ部から散水板に至る温水の供給経路が支持軸内を通るようにしたことである。
【発明の作用】
【０００５】  本発明によれば、ヘッド部が、グリップ部に設けたアーム部に対し支持軸を中心として回動可能になっているのでヘッド部を回動することができ、かつヘッド部はシャワー水が前方に噴射されている状態で所定の角度範囲で噴射方向の俯き角を調節可能であるから、使用者の体格や姿勢、シャワー水を浴びる位置等に応じて噴射方向を調節することができる。この場合、ヘッド部は支持軸の周りに回動可能であるから、調整可能な角度範囲を大きく設定することができ、使用勝手が向上する。
また、散水板が前方に向かっていない場合は、散水孔から水が流出しないので、ヘッド部を回すだけで止水が可能であり、格別な止水スイッチが不要であるとともに、遠くにある給水栓に手を伸ばさなくても止水操作が簡単に行える。
グリップ部から散水板に至る温水の供給経路が支持軸内を通るようにしたので、供給通路を簡単に構成することができる。
【発明を実施するための最良の形態】
【実施例】
【０００６】  以下、本発明をハンド式シャワーヘッドに適用した一実施例について、図面にもとづき説明する。
図１はシャワーヘッドの側面図、図２はヘッド部の横断面図、図３はヘッド部の縦断面図である。
図において１は合成樹脂で形成されたシャワーヘッドのグリップ部であり、このグリップ部１は内部に通水路２を有する中空をなしている。グリップ部１の下端には、連結金具３を介してシャワーホース４が連結されるようになっている。したがって、このシャワーヘッドはシャワーホース４を通じて温水が供給される。なお、上記連結金具３は、浴場の壁面に取り付けた図示しないフックに脱着可能に止着されるようになっている。【０００７】  上記グリップ１の上端は二股状に形成されて一対のアーム部５を備えている。これらアーム部５内は、少なくとも一方が前記通水路２に連通しており、上記シャワーホース４から供給された温水が導入される。
これら一対のアーム部５間には、支持軸６が掛け渡されている。支持軸６は中空パイプからなり、両端が上記一対のアーム部５に貫挿されるとともにこれらアーム部５に対し気液密に固定されている。この中空支持軸６は、少なくとも一端が連通孔７を介してアーム部５の内部に連通しており、したがって支持軸６は前記通水路２に通じている。よって、前記ホース４を通じて送られてくる温水はアーム部５を経て中空支持軸６内に導かれるようになっている。【０００８】  上記中空支持軸６には、ヘッド部１０が所定の角度だけ回動可能に取り付けられている。ヘッド部１０は、本実施例においては一端面が開放された弾頭形をなしており、その開放端に、ステンレスまたは樹脂製の散水板１１が取り付けられている。この散水板１１には、多数の散水孔１２が開口されている。
散水板１１はヘッド部１０に対し、押えリング１３によって取り外し可能に取り付けられている。これら押えリング１３はヘッド部１０に対しねじ込み式に取着されている。なお、１４はシール用パッキングである。
上記ヘッド部１０内は噴射室１５となっており、ここに流入してきた温水が上記散水板１１の散水孔１２より外に向かってシャワー水として噴射される。このヘッド部１０には噴射室１５を横断して挿入管１６が設けられている。挿入管１６は、ヘッド部１０と一体又は一体的に形成されており、上記支持軸６が貫通されている。これにより、ヘッド部１０は支持軸６を中心として回動可能になっている。なお、挿入管１６と支持軸６は、シール材、たとえばＯリング１７，１７により気液密が保たれている。このＯリング１７，１７はヘッド部１０が支持軸６の周りで自由に回転するのを阻止する抵抗部材となっており、ヘッド部１０に所定の力以上の力を加えてないとヘッド部１０が回動しないようになっている。
上記中空支持軸６には、その周壁の一箇所に供給孔１８が形成されており、この支持軸６を摺動する挿入管１６の周壁には弁孔１９が形成されている。上記ヘッド部１０を回すと挿入管１６も一体に回動し、弁孔１９が供給孔１８と対向した場合に弁孔１９が開口される。よって、この状態では、グリップ部１内の通水路２を介して支持軸６内に送られてきた温水がこれら供給孔１８及び弁孔１９を通じて噴射室１５に送りこまれ、この噴射室１５から散水板１１を経て外に噴射される。【０００９】  上記供給孔１８又は弁孔１９のいずれか一方は、他方に比べて周方向に向かって大きく開口している。このため、ヘッド部１０を角度αの範囲で回動移動させても、この範囲α内であれば供給孔１８と弁孔１９は連通し、よってこの範囲α内であればヘッド部１０をどの位置に回してもシャワー水が放出される。
上記角度αは、本例の場合、水平に対して１０度下向き方向から、垂直に対して５度上向き方向に亘る範囲に囲まれた領域であり、実質的に調整可能な俯仰角αは、７５度となっている。したがって、散水板１１の向き、すなわち散水板１１の中心を通る中心線が上記角度αの範囲内であれば、シャワー水が放出され、かつその噴射方向を自由に調節することができる。
上記角度αの設定は、供給孔１８と弁孔１９との連通範囲を設定することで決めることができる。
なお、ヘッド部１０を支持軸６の周りを回す場合、Ｏリング１７，１７の弾性摩擦抵抗がヘッド部１０の回転を阻止する抵抗部材となっているので、ヘッド部１０に所定以上の力を加えないとヘッド部１０は回転しない。そして、所望の位置でヘッド部１０から手を離すと、上記摩擦抵抗でヘッド部１０の回動が防止され、例えばシャワー水の噴射による反動でヘッド部１０が回転するなどの不具合が防止される。【００１０】  また、ヘッド部１０を時計回り又は反時計回りに回して散水板１１の向きが上記調節角度αの領域より外れた位置まで回動すると、供給孔１８と弁孔１９の連通が断たれ、弁孔１９が閉じられるのでシャワー水の噴射が停止される。すなわち、ヘッド部１０を回して噴射面が角度αの領域を過ぎると、シャワー水の噴射が停止される。よって、シャワーを使用中にシャワーを止めたいときはヘッド部１０を角度α領域より外れた位置まで回せばよく、この回動は手元スイッチとして機能し、手を延ばして給水栓を閉めるなどの必要がなくなる。【００１１】  このような構成に係る上記実施例によれば、シャワーホース４から供給される温水は、グリップ部１内の通水路２を通り、連通孔７より中空の支持軸６内に送られる。ヘッド部１０は支持軸６の周りに回転可能であるから、ヘッド部１０を回して供給孔１８と弁孔１９が連通する位置に回すと、上記温水はこれら供給孔１８と弁孔１９を経て噴射室１５に送りこまれる。よって、この温水は噴射室１５から散水板１１の各散水孔１２を通過するときにこれら散水孔１２で分流され、シャワー水となって外に噴射される。
そして、ヘッド部１０を回して散水板１１の向きが角度αの範囲であれば、上記供給孔１８と弁孔１９が連通しているので、どこの位置であってもシャワー水の噴射がなされ、よってこの角度α内であれば噴射方向の俯き角を調整することができる。このため、体格や洗う姿勢に応じて噴射方向を調節することができる。
この場合、本例ではヘッド部１０が、支持軸６の周りを回動可能になっているので、角度αを大きく設定することができ、俯き角の調整範囲が大きくなり、使い勝手が向上する。
また、ヘッド部１０は、Ｏリング１７，１７の摩擦抵抗で回転を阻止されるので、どこの位置でも回動が停止可能であり、俯き角を無段階で調節することができる。よって、噴射方向の選択の自由度が大きい。
なお、この俯き角は、所定の回動角度ピッチをもって段階的に調節するようにしてもよい。
さらに、ヘッド部１０を上記角度αの領域を超えて時計回り又は反時計回りの回動すると、シャワー水の放出が停止される。よって、ヘッド部１０を回すだけの簡単な操作で噴射を停止することができ、給水栓に手を延ばして水栓を止めることなく、手元で散水（噴射）を止めることができる。【００１２】  ヘッド部１０は支持軸６に回動可能に軸支され、この支持軸６はグリップ部１の先端に設けた一対のアーム部５間に架設されているので、ヘッド部１０は機械的支持が堅固になされる。
そして、シャワーホース４より供給される温水は、グリップ部１内の通水路２より連通孔７を経て中空の支持軸６内に送られ、供給孔１８および弁孔１９より噴射室１５に送られるので、温水の流通経路が簡素化し、シール構造も簡単になる。【００１３】  なお、ヘッド部１０は支持軸６に対し、３６０度の範囲で自由に回転してもよいが、少なくとも上記調節可能な角度αと停止領域の範囲を回動可能であればよく、実施例の場合７５度プラス２０度＝９５度の範囲で回動可能であればよい。
また、支持軸６は一対のアーム部５，５間に架設され、この支持軸に対してヘッド部１０を回動自在に取付けたが、支持軸とヘッド部を一体的に構成し、支持軸をアーム部に対して回動可能に取付けるようにしてもよい。この場合、連通孔７を利用して通水経路の開閉を構成することもできる。
そして本発明は、浴槽用のシャワーヘッドに限らず、洗面化粧台に設置されるシャワーヘッドに適用しても有効である。
【発明の効果】
【００１４】  以上説明した通り本発明によれば、グリップ部に設けたアーム部に支持軸を掛け渡し、この支持軸に対してヘッド部を回動自在に取り付けて、このヘッド部を回すことで俯き角を調節可能にしたので、使用者の体格や姿勢、シャワー水を浴びる位置等に応じて噴射方向を調節することができる。この場合、ヘッド部は支持軸の周りに回動可能であるから、調整可能な角度範囲を大きく設定することができ、使用勝手が向上する。
【図面の簡単な説明】
【００１５】
【図１】      本発明の一実施例を示し、シャワーヘッドの側面図
【図２】      ヘッド部の横断面図
【図３】      ヘッド部の縦断面図
【符号の説明】
【００１６】  １…グリップ部
２…通水路
５…アーム部
６…支持軸
７…連通孔
１０…ヘッド部
１１…散水板
１２…散水孔
１５…噴射室
１８…供給孔
１９…弁孔
【図１】
2007130615.tif 000003
【図２】
2007130615.tif 000004
【図３】
2007130615.tif 000005